(57)【要約】【課題】付加ユニットを容易に交換または変更することができる照明装置を提供することができる。【解決手段】実施形態に係る照明装置は、照明部と接続端子とを具備する。照明部は、複数の発光素子を有する。接続端子は、照明以外の機能を発揮する付加ユニットを着脱可能である。照明部は、付加ユニットを制御可能な付加ユニット制御部と、付加ユニットに駆動用電源を供給する電源供給部とを有する。【選択図】図４
2019204614.tif 000002
【特許請求の範囲】
【請求項１】
複数の発光素子を有する照明部と；
照明以外の機能を発揮する付加ユニットを着脱可能な接続端子と；
を具備し、
前記照明部は、前記付加ユニットを制御可能な付加ユニット制御部と、前記付加ユニットに駆動用電源を供給する電源供給部とを備えることを特徴とする照明装置。
【請求項２】
前記照明部と、前記付加ユニットとを収容する収容部；
を具備することを特徴とする請求項１に記載の照明装置。
【請求項３】
前記付加ユニットは、
前記機能を発揮する機能ユニットと；
前記収容部に収容された前記付加ユニットを覆うカバー部材と；
を具備することを特徴とする請求項２に記載の照明装置。
【請求項４】
前記付加ユニットは、磁石により前記収容部に着脱可能に固定されることを特徴とする請求項３に記載の照明装置。
【請求項５】
前記付加ユニットは、前記照明部を制御可能な制御ユニットを含むことを特徴とする請求項１〜４のいずれか１つに記載の照明装置。
【請求項６】
前記付加ユニットは、前記照明部と隣り合うカメラを含むことを特徴とする請求項１〜５のいずれか１つに記載の照明装置。
【発明の詳細な説明】
【技術分野】
【０００１】
本発明の実施形態は、照明装置に関する。
【背景技術】
【０００２】
照明装置にカメラやマイクロフォンを接続した照明システムが導入されている。
【先行技術文献】
【特許文献】
【０００３】
【特許文献１】特開２０１７−１６２６８２号公報
【発明の概要】
【発明が解決しようとする課題】
【０００４】
このような照明システムでは、カメラやマイクロフォンなどの付加ユニットと照明装置との設計寿命が異なるため、付加ユニットの容易な交換が要望されていた。また、照明装置の用途に応じて異なる付加ユニットへの変更を容易にする要望もあった。
【０００５】
本発明が解決しようとする課題は、付加ユニットを容易に交換または変更することができる照明装置を提供することである。
【課題を解決するための手段】
【０００６】
実施形態に係る照明装置は、照明部と接続端子とを具備する。照明部は、複数の発光素子を有する。接続端子は、照明以外の機能を発揮する付加ユニットを着脱可能である。照明部は、付加ユニットを制御可能な付加ユニット制御部と、付加ユニットに駆動用電源を供給する電源供給部とを有する。
【発明の効果】
【０００７】
本発明によれば、付加ユニットを容易に交換または変更することができる照明装置を提供することができる。
【図面の簡単な説明】
【０００８】
【図１】図１は、第１の実施形態に係る照明装置の外観例を示す斜視図である。
【図２】図２は、撮像ユニットおよび収容部の一例を示す分解斜視図である。
【図３】図３は、遮光カバーの変形例を示す図である。
【図４】図４は、第１の実施形態に係る照明装置の構成の一例を模式的に示すブロック図である。
【図５】図５は、第１の実施形態の変形例に係る照明装置の構成の一例を模式的に示すブロック図である。
【図６】図６は、第２の実施形態に係る照明装置の構成の一例を模式的に示すブロック図である。
【発明を実施するための形態】
【０００９】
以下に説明する実施形態に係る照明装置１は、照明部２と接続端子１６とを具備する。照明部２は、複数の発光素子１５を有する。接続端子１６は、照明以外の機能を発揮する付加ユニット６３を着脱可能である。照明部２は、付加ユニット６３を制御可能な付加ユニット制御部と、付加ユニット６３に駆動用電源を供給する電源供給部とを有する。
【００１０】
以下に説明する実施形態に係る照明装置１は、照明部２と、付加ユニット６３とを収容する収容部５０を具備する。
【００１１】
以下に説明する実施形態に係る付加ユニット６３は、機能を発揮する機能ユニットと、収容部５０に収容された付加ユニット６３を覆うカバー部材とを具備する。
【００１２】
以下に説明する実施形態に係る付加ユニット６３は、磁石３８により収容部５０に着脱可能に固定される。
【００１３】
以下に説明する実施形態に係る付加ユニット６３は、照明部２を制御可能な制御ユニットを含む。
【００１４】
以下に説明する実施形態に係る付加ユニット６３は、照明部２と隣り合うカメラ３３を含む。
【００１５】
以下に、本発明に係る実施形態を図面に基づき説明する。なお、以下に示す実施形態は、本発明が開示する技術を限定するものではない。また、以下に示す実施形態及び変形例は、矛盾しない範囲で適宜組合せることができる。また、以下の説明において、同一構成には同一符号を付与して後出の説明を適宜省略する。
【００１６】
［第１の実施形態］
図１は、第１の実施形態に係る照明装置の外観例を示す斜視図である。図１に示すように、照明装置１は、照明部２、拡散カバー２０、遮光カバー３０、保持部材４０を有する。照明装置１は、保持部材４０が天井面へ設置され、照明部２から出力される光が照射面の一例である床面へと照射される天井直付けタイプの照明装置である。また、照明装置１には、外部機器である撮像ユニット３が接続されている。撮像ユニット３が接続された照明装置１は、例えば工場での生産ラインの監視やオフィス内での従業員の状態監視などの用途で主に屋内で使用される。
【００１７】
なお、説明を分かりやすくするために、図１には、鉛直下向きを正方向とし、鉛直上向きを負方向とするＺ軸を含む３次元の直交座標系を図示している。また、Ｘ軸は照明装置１の長さ方向に、Ｙ軸は照明装置１の幅方向に、それぞれ沿うように図示している。
【００１８】
照明部２は、Ｙ軸方向に沿うように配置された、長尺状のシャーシまたは基板（不図示）上に所定の間隔で配置された複数の発光素子（不図示）を有し、シャーシとの間に発光素子が収容されるよう床面側、すなわちＺ軸正方向側に拡散カバー２０が設けられた照明バーである。
【００１９】
拡散カバー２０は、例えば、アクリルやポリカーボネート等の透光性の材料から作られている。拡散カバー２０は、フロスト処理が施されて複数の発光素子から出射される光を拡散する機能を有するようになっている。なお、拡散カバー２０に適宜拡散材や着色剤を混入させてもよい。
【００２０】
撮像ユニット３は、後述するカメラを有し、照明部２のＸ軸負方向側に隣り合うように並んで配置される。撮像ユニット３は、撮像機能を有する機能ユニットの一例である。撮像ユニット３のＺ軸正方向側には遮光カバー３０が配設され、遮光カバー３０と保持部材４０との間に形成された収容部５０に撮像ユニット３が収容される。遮光カバー３０で撮像ユニット３を覆うことで、照明部２の拡散カバー２０から照射された光をカメラのレンズに入り込みにくくすることができる。また、遮光カバー３０は、例えば撮像ユニット３の絶縁性や防水性の向上にも寄与する。遮光カバー３０は、カバー部材の一例である。
【００２１】
次に、遮光カバー３０および収容部５０についてさらに説明する。図２は、撮像ユニットおよび収容部の一例を示す分解斜視図である。
【００２２】
遮光カバー３０は、撮像ユニット３が有するカメラのレンズ３ａと対向する位置に設けられた貫通口３５を有する。これにより、撮像ユニット３の撮像機能が確保される。
【００２３】
また、遮光カバー３０は、保持部材４０に向けて照明装置１の厚み方向に突出する突出部３６を有する。突出部３６は、保持部材４０の内面４１に当接するように固定または載置される。また、遮光カバー３０は、照明装置１の長さ方向に沿うように拡散カバー２０側に向かって延びる保持部３７を有する。保持部３７は、照明部２を覆う拡散カバー２０と干渉することで、遮光カバー３０がより確実に保持される。
【００２４】
保持部材４０は、天井面に取り付けられる取付板４３と、照明装置１の厚み方向に取付板４３の外縁を囲むように配設された周壁４２とを有する。保持部材４０は、周壁４２および取付板４３と、拡散カバー２０および遮光カバー３０との間に形成された収容部５０に収容された照明部２および撮像ユニット３を保持する。なお、保持部材４０は、一体に形成されてもよい。また、周壁４２は、例えば照明装置１の長さ方向と幅方向とがそれぞれ別部材として形成されたものであってもよい。
【００２５】
なお、遮光カバー３０の構成は、図２に図示したものに限られない。図３は、遮光カバーの変形例を示す図である。
【００２６】
図３に示す遮光カバー３０Ａは、保持部材４０に向けて照明装置１の厚み方向に突出する突出部３６Ａを有する。また、突出部３６Ａの端面には、磁石３８が配置されており、突出部３６Ａが保持部材４０の内面４１に当接することで遮光カバー３０と保持部材４０とが着脱可能に固定される。磁石３８は、例えば、フェライト磁石である。なお、保持部材４０が非磁性材料で構成されている場合、磁石３８と向かい合う部分に鉄などの磁性材料を配置するとよい。
【００２７】
次に、照明装置１の機能的構成について説明する。図４は、実施形態に係る照明システムが有する照明装置の構成の一例を模式的に示すブロック図である。
【００２８】
図４に示すように、照明装置１は、接続部６、本体部４、照明部２、撮像ユニット３を備える。接続部６は、照明装置１を動作させる各種ケーブルの接続用の端子が配置された端子台である。
【００２９】
本体部４は、電源制御部７、接続端子１６、記憶部１７を有する。電源制御部７は、電源部１３、制御マイコン１４を有する。
【００３０】
電源部１３は、接続部６を介して交流電源２１から供給された交流電力を直流電力に変換して出力する電源回路を有する。電源回路は、例えばＡＳＩＣ（Application  Specific  Integrated  Circuit）等の集積回路を採用できる。また、交流電源２１は、例えば商用電源である。
【００３１】
また、電源部１３は、直流電流を所定の電圧（例えば、５０Ｖ）で照明部２へ給電し、後述する発光素子１５の点灯を制御する。具体的には、電源部１３は、制御マイコン１４から出力された制御信号に従って、発光素子１５の点灯、消灯、照度の変更、色の変更等を行う。電源部１３は、点灯制御部の一例である。さらに、電源部１３は、直流電流を所定の電圧（例えば、５Ｖ）に変換し、撮像ユニット３へ給電する。
【００３２】
制御マイコン１４は、記憶部１７に予め設定された制御信号を生成し、電源部１３、点灯制御部および後述する撮像制御部にそれぞれ出力する処理部である。
【００３３】
接続端子１６は、撮像ユニット３を本体部４に接続するための外部機器接続用のコネクタである。接続端子１６は、例えば、ＵＳＢ（Universal  Serial  Bus）端子、ＩＥＥＥ（The  Institute  of  Electrical  and  Electronic  Engineers）１３９４端子、またはＬｉｇｈｔｎｉｎｇ（登録商標）端子である。また、接続端子１６は、例えば、ＤＣ入力端子またはＡＣ入力端子といった通信機能を持たない給電用の端子であってもよい。
【００３４】
照明部２は、複数の発光素子１５を有する。発光素子１５は、シャーシ上の配線パターンにそれぞれ接続されており、電源部１３から直流出力が供給され、点灯制御部により点灯制御される。発光素子１５は、例えばセラミックスで形成された本体に配設されたＬＥＤチップと、このＬＥＤチップを封止するエポキシ系樹脂やシリコーン樹脂等のモールド用の透光性樹脂とを含む。
【００３５】
ＬＥＤチップは、例えば、青色光を発する青色のＬＥＤチップである。透光性樹脂には、蛍光体が混入されており、白色光を出射できるようにするために、青色の光とは補色の関係にある黄色系の光を放射する黄色蛍光体が使用されている。なお、ＬＥＤチップは、例えば赤色光や緑色光、あるいは白色光を発するものであってもよい。また、透光性樹脂は、乳白色を有し、光を拡散させる拡散部材であってもよい。
【００３６】
また、ＬＥＤは、ＬＥＤチップを直接照明部２が有するシャーシまたは基板に実装するようにしてもよく、また、砲弾型のＬＥＤを実装するようにしてもよく、実装方式や形式は、特に限定されるものではない。
【００３７】
また、照明部２は、撮像ユニット３を制御可能な撮像ユニット制御部（不図示）と、撮像ユニット３に駆動用電源を供給する電源供給部（不図示）とを有する。撮像ユニット制御部は、付加ユニット制御部の一例である。撮像ユニット制御部は、後述する撮像制御部３２を介して撮像ユニット３を制御する。
【００３８】
撮像ユニット３は、接続端子３１、撮像制御部３２、カメラ３３を有する。接続端子３１は、接続端子１６に接続されるコネクタである。接続端子３１は、例えばＵＳＢ端子など、接続端子１６の種別に対応したコネクタが採用される。接続端子３１が接続端子１６に接続されることにより、照明装置１から撮像ユニット３への給電が行われ、撮像ユニット３は使用可能となる。
【００３９】
撮像制御部３２は、カメラ３３による撮像を制御する。カメラ３３は、例えばＣＣＤ（Charge  Coupled  Device）やＣＭＯＳ（Complementary  Metal  Oxide  Semiconductor）など、電子的に画像を取得する撮像素子を備える。撮像ユニット３は、カメラ３３で撮像された画像を記録させるための記憶部（不図示）を有してもよい。
【００４０】
このように第１の実施形態に係る照明装置１によれば、撮像ユニット３を着脱可能な接続端子１６を有することにより、撮像ユニット３を容易に交換または変更することができる。また、照明装置１は、撮像ユニット３を収容する収容部５０と、撮像ユニット３を覆う遮光カバー３０、３０Ａを有する。これにより、照明部２から照射された光をレンズ３ａに入り込みにくくすることができ、さらに、撮像ユニット３の絶縁性や防水性が向上する。
【００４１】
なお、上記した実施形態では、撮像ユニット３は照明部２の長さ方向の端部に配置されたが、これに限らず、例えば照明装置１の中央に配置されてもよい。
【００４２】
［変形例］
上述の実施形態は一例を示したものであり、種々の変更及び応用が可能である。
【００４３】
例えば、上記した実施形態では、接続端子１６に接続可能な外部機器が収容部５０に収容された撮像ユニット３であるとしたが、これに限らない。図５は、第１の実施形態の変形例に係る照明装置の構成の一例を模式的に示すブロック図である。
【００４４】
図５に示す照明装置１には、第１の実施形態に係る照明装置１における撮像ユニット３に代えて、付加ユニット６３が接続端子１６に接続されている。接続端子１６は、付加ユニット６３を着脱可能に構成されている。すなわち、付加ユニット６３は、例えば、接続端子１６に対応する接続端子（不図示）を有している。かかる接続端子は、例えば、撮像ユニット３が有する接続端子３１である。
【００４５】
付加ユニット６３は、照明以外の機能を発揮する機能ユニットを有する。付加ユニット６３は、例えば、赤外センサ（人感センサ）、温度センサ、照度センサ（明るさセンサ）等のセンサである。付加ユニット６３は、煙を検知する煙センサであってもよいし、ガス漏れを検知するガスセンサであってもよい。また、付加ユニット６３は、照明装置１が設置された空間の広さを検知する空間センサであってもよい。空間センサは、例えば、超音波の反射波で空間の広さを検知する超音波センサであってもよい。
【００４６】
このように付加ユニット６３としてセンサを接続端子１６に接続することにより、照明装置１は付加ユニット６３の種別に応じたセンサ機能を有することができる。また、照明装置１は、センサの検知結果に応じて制御を変更することができる。例えば、付加ユニット６３が人感センサであるとする。照明装置１は、人感センサで検知した人の有無に応じて、照明部２を明るくしたり暗くしたりできる。これにより、照明装置１は、例えば電力消費を抑制することができる。
【００４７】
また、付加ユニット６３は、例えば、外部装置（不図示）から受信した制御信号に基づいて照明部２を制御可能な制御ユニットであってもよい。制御ユニットは、例えば、無線通信モジュールである。照明装置１は、外部装置から制御信号を受信した付加ユニット６３が制御マイコン１４と通信し、または制御マイコン１４に制御信号を送信することにより、照明部２の遠隔制御が可能となる。なお、付加ユニット６３が受信する制御信号は、例えば、ＤＡＬＩ（Digital  Addressable  Lighting  Interface）、ＰＷＭ（Pulse  Width  Modulation）等であってもよい。また、新たな通信規格が登場した場合も、付加ユニット６３を付け替えることによって対応可能となる。
【００４８】
このように第１の実施形態の変形例に係る照明装置１によれば、付加ユニット６３を着脱可能な接続端子１６を有することにより、撮像ユニット３を容易に交換または変更することができる。なお、照明装置１は、収容部５０に収容された付加ユニット６３を覆うカバー部材を有してもよい。カバー部材は、例えば、撮像ユニット３を覆う遮光カバー３０、３０Ａのうち、貫通口３５を有しないものとすることができる。また、カバー部材は、付加ユニット６３が有する機能ユニットの特性に応じて、例えば配線孔を有してもよい。このように付加ユニット６３をカバー部材で覆うことにより、例えば、付加ユニット６３の絶縁性や防水性が向上する。
【００４９】
［第２の実施形態］
図６は、実施形態に係る照明装置の構成の一例を模式的に示すブロック図である。図６に示す照明装置１Ａは、照明部２および本体部４に代えて照明部２Ａおよび本体部４Ａを有することを除き、図５に示す照明装置１と同じ構成を有している。
【００５０】
照明装置１Ａは、本体部４Ａではなく照明部２Ａが接続端子７２を有する。接続端子７２は、付加ユニット６３を照明装置１Ａに接続するための外部機器接続用のコネクタである点で接続端子１６と同様である。
【００５１】
接続端子７２は、電圧変換部７１を介して発光素子１５に接続されている。電圧変換部７１は、本体部４側から入力された入力電源の電圧値を、付加ユニット６３の動作に適した電圧に変換し、接続端子７２に出力する。電圧変換部７１は、入力電源の電圧値を、例えば、１０分の１（例えば、５Ｖ）に変換する。電圧変換部７１は、例えば、ＦＥＴなどのスイッチング素子を有しており、スイッチング素子をオン・オフすることによって直流電圧を降圧する。電圧変換部７１は、例えば、降圧型のＤＣ−ＤＣコンバータである。
【００５２】
このように、第２の実施形態に係る照明装置１Ａによれば、付加ユニット６３を着脱可能な接続端子７２を有することにより、付加ユニット６３を容易に交換または変更することができる。
【００５３】
なお、上記した各実施形態では、照明装置１、１Ａが有する接続端子１６、７２はそれぞれ１つずつであるとして説明したが、これに限らず、複数有してもよい。また、照明装置が接続端子１６、７２の両方を有してもよい。また、照明装置１、１Ａに接続される付加ユニット６３は１つであってもよく、複数であってもよい。かかる場合、付加ユニット制御部は、接続端子１６、７２に接続された付加ユニットのそれぞれを適切に制御し、電源供給部は、接続端子１６、７２に接続された付加ユニットのそれぞれに所定の駆動用電源を供給することができる。
【００５４】
また、上記した各実施形態では、照明装置１、１Ａは撮像ユニット３または付加ユニット６３を覆う遮光カバー３０、３０Ａを有するとして説明したが、これに限らず、遮光カバー３０、３０Ａを有さなくてもよい。
【００５５】
また、上記した各実施形態では、撮像ユニット３または付加ユニット６３は収容部５０に収容されるとして説明したが、これに限らず、収容部５０に収容されなくてもよい。
【００５６】
また、上記した各実施形態では、照明装置１、１Ａは天井直付けタイプとして説明したが、これに限らず、例えば埋め込みタイプまたは吊り下げタイプであってもよい。また、照明装置１、１Ａは天井面ではなく、例えば壁面に取り付けられてもよい。
【００５７】
本発明の各実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５８】
１、１Ａ  照明装置
２、２Ａ  照明部
３  撮像ユニット
４、４Ａ  本体部
１５  発光素子
１６、７２  接続端子
３３  カメラ
４０  保持部材
５０  収容部
６３  付加ユニット
【図１】
2019204614.tif 000003
【図２】
2019204614.tif 000004
【図３】
2019204614.tif 000005
【図４】
2019204614.tif 000006
【図５】
2019204614.tif 000007
【図６】
2019204614.tif 000008